(57)【要約】【課題】分解液を乾燥した乾燥物を乾燥室に残すことなく綺麗に排出することができるとともに、乾燥室周辺への乾燥物の飛散を防止して清潔な状態でメンテナンス等を行うことができる水中分解式生ごみ処理装置における乾燥装置を提供する。【解決手段】生ごみを破砕した後に分解槽に導入し、分解槽に貯留された分解液の微生物によって分解処理する水中分解式生ごみ処理装置において、分解槽には、分解液の一部を引き抜いて乾燥処理した後に排出する乾燥装置６が連結され、乾燥装置６は引き抜いた分解液を乾燥させる乾燥室６３と、乾燥室６３で乾燥処理した乾燥物を空気の吹込みにより外部に排出する排出機構６４とを備え、排出機構６４は、吹込ブロワー６７と、空気とともに乾燥室６３から排出される乾燥物を当該空気と分離して回収するサイクロン６８とを備え、このサイクロン６８の上部が連通管６８ｃを通じて分解槽の上部空間に連通されている。【選択図】  図２
2004290758.tif 000002
【特許請求の範囲】
【請求項１】
生ごみ投入装置に投入された生ごみを当該生ごみ投入装置で破砕した後に分解槽に導入し、分解槽に貯留された分解液の微生物によって分解処理する水中分解式生ごみ処理装置において、
前記分解槽には、分解液の一部を引き抜いて乾燥処理した後に排出する乾燥装置が連結され、該乾燥装置は、引き抜いた分解液を乾燥させる乾燥室と、乾燥室で乾燥処理した乾燥物を空気の吹込みにより外部に排出する排出機構とを備え、該排出機構は、乾燥室内に空気を吹込む吹込ブロワーと、空気とともに乾燥室から排出される乾燥物を当該空気と分離して回収するサイクロンとを備え、このサイクロンの上部が連通管を通じて前記分解槽の上部空間に連通されてなることを特徴とする水中分解式生ごみ処理装置における乾燥装置。
【発明の詳細な説明】
【０００１】
【発明の属する技術分野】
本発明は、分解槽に貯留された分解液の微生物により生ごみを処理する水中分解式生ごみ処理装置における乾燥装置に関するものである。
【０００２】
【従来の技術】
従来、生ごみを生ごみ投入装置に投入して破砕した後に分解槽に導入し、この分解槽において分解液の微生物によって生ごみを分解処理する、所謂水中分解式生ごみ処理装置が提供されている。
【０００３】
そして、このような水中分解式生ごみ処理装置では、分解液中の残渣等を除去するために分解液の一部を定期的に分解槽から乾燥装置に引き抜いて、該乾燥装置で乾燥処理した後に外部に排出するようにしている。
【０００４】
この乾燥装置としては、例えば特許文献１に見られるように、室内に投入した被乾燥物（分解液）を複数の回転翼で攪拌しながらヒータで加熱して乾燥させるとともに、乾燥させた乾燥物を上記回転翼を逆回転させることによって排出口に搬送して排出するようにしていた。
【０００５】
【特許文献１】
特開２０００−３２９４６７号公報
【０００６】
【発明が解決しようとする課題】
しかしながら、上記従来のように回転翼の回転運動により乾燥物を排出するものでは、その機構上、室内から完全に乾燥物を排出することができず、当該室内に乾燥物の一部が残ってしまう。このように乾燥物の一部が室内に残ってしまうと、室内の内周面に付着したり、続いて行われる分解液の乾燥処理に悪影響を与え、乾燥効率の低下を招くという問題があった。
【０００７】
本発明は、上記問題点に鑑みてなされたもので、その目的とするところは、分解液を乾燥した乾燥物を乾燥室に残すことなく綺麗に排出することができ、当該分解液の乾燥処理を効率よく行うことができるとともに、乾燥室周辺への乾燥物の飛散を防止して清潔な状態でメンテナンス等を行うことができる水中分解式生ごみ処理装置における乾燥装置を提供することにある。
【０００８】
【課題を解決するための手段】
請求項１に係る発明の水中分解式生ごみ処理装置における乾燥装置は、生ごみ投入装置に投入された生ごみを当該生ごみ投入装置で破砕した後に分解槽に導入し、分解槽に貯留された分解液の微生物によって分解処理する水中分解式生ごみ処理装置において、前記分解槽には、分解液の一部を引き抜いて乾燥処理した後に排出する乾燥装置が連結され、該乾燥装置は、引き抜いた分解液を乾燥させる乾燥室と、乾燥室で乾燥処理した乾燥物を空気の吹込みにより外部に排出する排出機構とを備え、該排出機構は、乾燥室内に空気を吹込む吹込ブロワーと、空気とともに乾燥室から排出される乾燥物を当該空気と分離して回収するサイクロンとを備え、このサイクロンの上部が連通管を通じて前記分解槽の上部空間に連通されてなるものである。
【０００９】
【発明の実施の形態】
以下、本発明の実施の形態を図面を参照して説明する。
【００１０】
図１は、本発明の水中分解式生ごみ処理装置における乾燥装置の概略構成を示している。
【００１１】
図１において、１は、生ごみ投入装置であって、生ごみを投入するホッパ１１と、投入した生ごみを破砕するディスポーザー１２とを備えてなり、ディスポーザー１２で破砕された生ごみは導入管１３を通じて分解槽２に導入される。
【００１２】
分解槽２は、生ごみを分解処理するもので、当該生ごみを処理する微生物を含んだ分解液が貯留されている。
【００１３】
また、上記分解槽２には、攪拌機３、循環ポンプ４及び拡散部材５が設けられている。
【００１４】
攪拌機３は、モータ３１の回転駆動により回転軸３２に設けられた攪拌羽根３３が回転自在に設けられており、攪拌羽根３３の回転により分解槽２に貯留された分解液を下方に導く流れを発生させ、この流れにより分解液全体が均質になるように攪拌している。
【００１５】
循環ポンプ４は、前記分解槽２の底部に配置されており、分解槽２内の分解液を吸い込んで前記拡散部材５に供給するためのもので、その吐出口側には供給管４１の一端が連結されている。供給管４１の他端となる供給口４１ａは前記拡散部材５の上部に配置されており、この供給口４１ａから分解液を拡散部材５に噴射する。
【００１６】
拡散部材５は、上記供給口４１ａから噴射された分解液を上部空間において拡散するためのもので、この拡散により分解液内に酸素を供給して微生物の活動を活性化するようにしている。つまり、好気性の微生物により生ごみを分解処理するようにしている。
【００１７】
そして、攪拌機３により発生する下方への水流と、循環ポンプ４の吸込により発生する水流とで分解槽２の分解液に循環流を発生させ、供給口４１ａからの液面への分解液の供給と相まって、分解液全体を十分に攪拌して均質化するようにしている。これにより分解液の微生物による分解処理を良好な状態で効率良く行うことができる。
【００１８】
一方、前記供給管４１は、その途中部から返送管４２が分岐接続されており、この返送管４２を通じて当該返送管４２に設けられたバルブ４３の開閉操作により分解液の一部を前記生ごみ投入装置１に返送するようにしている。
【００１９】
つまり、返送管４２を通じて生ごみ投入装置１に分解液を返送して分解槽２に導入することによって、生ごみ投入装置１に投入して破砕した生ごみを当該分解液とともに導入管１３を通じて分解槽２に導入するようにしている。
【００２０】
また、分解槽２には、乾燥装置６が連結されている。乾燥装置６は分解槽２の分解液内に含有する残渣等を定期的に引き抜いて乾燥させるためのもので、前記供給管４１に分岐管６１を分岐接続して当該分岐管６１を通じて乾燥装置６に接続されている。そして、この分岐管６１には２つの開閉弁６１ａ、６１ｂが設けられるとともに、これら開閉弁６１ａ、６１ｂの間に分解槽２に連通された循環管６１ｃが接続されている。
【００２１】
そして、通常は、開閉弁６１ａを開いて開閉弁６１ｂを閉じておくことで、分解液の一部を分岐管６１、循環管６１ｃを通じて分解槽２に循環させており、所定のタイミングで開閉弁６１ａを閉じて開閉弁６１ｂを開くことでこの間に溜まっている分解液を乾燥装置６に導入する。
【００２２】
つまり、乾燥装置６には容量的な面から一度に大量の分解液を引き抜くのではなく、定期的に当該容量に見合った量を引き抜いて乾燥処理するようにしており、開閉弁６１ａ、６１ｂとの間の分岐管６１に溜まる分解液の量がこの量に相当するように設定している。このように分解液の一部を引き抜いて乾燥装置６で乾燥処理することで、分解槽２内の分解液の塩分濃度調整などを行うようにしている。
【００２３】
乾燥装置６での乾燥に寄与した熱風は、排気ブロワー６２ａ（図２参照）により熱風管６２を通じて分解槽２の上部空間に導かれている。この熱風は、分解液が活性化する約４０℃程度の適温に保持するために用いられており、当該熱風の他、微生物の分解熱や循環ポンプ４の駆動熱なども分解液の温度維持に寄与している。
【００２４】
また、熱風管６２には、図２に示すように排気ブロワー６２ａの吸込側に第２開閉弁６２ｂが設けられている。この第２開閉弁６２ｂは、乾燥室６３内で乾燥を行っている間は開いており、排出機構６４により乾燥物の排出を行う際に閉じるようにしている。
【００２５】
さらに、分解槽２には、図示しない給水手段が設けられており、この給水手段によって分解槽２内に適宜に給水することで、分解液の水位を調整するようにしている。
【００２６】
ところで、前述した乾燥装置６は、具体的には以下のように構成されている。
【００２７】
図２は、乾燥装置６の具体的構成を示している。
【００２８】
この乾燥装置６は、乾燥室６３と、この乾燥室６３で乾燥処理した残渣等の乾燥物を排出する排出機構６４とが装置本体６ａ内に設けられてなるものである。
【００２９】
乾燥室６３は、その内部に前記分岐管６１を通じて引き抜いた分解液を乾燥させる部位であり、当該分岐管６１及び熱風管６２が内部にそれぞれ連通されている。
【００３０】
この乾燥室６３には、底部下方に図示しない加熱ヒータが設けられるとともに、この内部底面に攪拌板６５が攪拌モータ（図示省略）により攪拌軸６５ａを中心に回転自在に設けられている。
【００３１】
従って、乾燥室６３では、引き抜いた分解液を攪拌板６５で攪拌しながら加熱ヒータで加熱することで、当該分解液の水分を除去して乾燥させるようにしている。
【００３２】
一方、前記排出機構６４は、吹込ブロワー６７と、サイクロン６８とを備えている。
【００３３】
吹込ブロワー６７は、乾燥室６３内に空気を吹き込むためのもので、その吹込側が吹込管６７ａを通じて乾燥室６３内に連通されている。この吹込管６７ａの管端６７ｂは、乾燥室６３内の底面に向かって当該底面から所定の距離を隔てて配置されている。
【００３４】
サイクロン６８は、乾燥室６３から排出された乾燥物を空気と分離して底部に導いて回収するためのもので、乾燥室６３の上部に接続された排出管６８ａを通じてその周面上部が乾燥室６３内と連通されるとともに、底部には回収ボックス６９が設けられている。
【００３５】
上記排出管６８ａには、第１開閉弁６８ｂが設けられている。この第１開閉弁６８ｂは、乾燥室６３内で乾燥を行っている間は閉じており、排出機構６４により乾燥物の排出を行う際に開くようにしている。
【００３６】
また、上記サイクロン６８の上部は連通管６８ｃを通じて前記第２開閉弁６２ｂよりも排気ブロワー６２ａ側の前記熱風管６２に連通されている。
【００３７】
従って、乾燥室６３で分解液を乾燥させている場合には、第１開閉弁６８ｂを閉じ、前記第２開閉弁６２ｂを開き、これによって乾燥に寄与した熱風をこの乾燥室６３から排気ブロワー６２ａにより熱風管６２を通じて分解槽２の上部空間に直接導いている。
【００３８】
一方、乾燥室６３で乾燥させた乾燥物を排出する場合には、まず、第１開閉弁６８ｂを開いて乾燥室６３とサイクロン６８とを排出管６８ａを通じて連通させるとともに、第２開閉弁６２ｂを閉じ、この状態で吹込ブロワー６７により管端６７ｂから空気を乾燥室６３内の底面に向けて一挙に吹き込むことで、乾燥室６３内の底部に溜まった粉粒状の乾燥物が排出管６８ａを通じてサイクロン６８に導入され、このサイクロン６８の底部から回収ボックス６９に回収されることになる。
【００３９】
次に、このように構成された水中分解式生ごみ処理装置による、生ごみの処理について説明する。
【００４０】
まず、厨房などで発生した生ごみを生ごみ投入装置１のホッパ１１に投入し、ディスポーザ１２で破砕する。破砕した生ごみは、循環ポンプ４により供給管４１、返送管４２を通じて生ごみ投入装置１に導入される分解液とともに、導入管１３を通じて分解槽２に導入される。
【００４１】
分解槽２では、導入された生ごみを分解液中の微生物により分解処理する。この際、循環ポンプ４により分解液を供給管４１を通じて供給口４１ａに導入し、供給口４１ａから拡散部材５にスプレーすることによって、分解液に酸素を供給するとともに、乾燥装置６からの熱風の供給などにより分解液を適温に保持している。また、攪拌機３による攪拌作用と、循環ポンプ４の分解液の吸込作用とにより分解液に循環流を生じさせて当該分解液を十分に攪拌して均質になるようにしている。従って、これらの作用によって分解液はその微生物の活動が活性化された状態になっており、生ごみの分解処理を効率良く行うことができる。
【００４２】
一方、乾燥装置６では、分解槽２に投入した生ごみの量に応じて定期的に分解液の残渣等を引き抜いて乾燥室６３内に導入し、この乾燥室６３で乾燥させた残渣等の乾燥物を吹込ブロワー６７の空気の吹込みによって、前述したように乾燥室６３から排出してサイクロン６８を通じて回収ボックス６９に回収する。
【００４３】
このように吹込ブロワー６７により空気を一挙に吹き込んで乾燥室６３内の乾燥物を排出して回収することで、乾燥室６３内は吹込み空気により清掃される形で、しかも乾燥物を乾燥室６３内に残すことなく排出することができ、これにより続いて行われる乾燥処理を効率よく円滑に行うことができる。
【００４４】
また、サイクロン６８の上部を連通管６８ｃによって熱風管６２に連通していることから、当該サイクロン６８に導入された乾燥物の一部がこのサイクロン６８の上部から漏れ出たとしても、空気とともに連通管６８ｃ、熱風管を６２を通じて分解槽２の上部空間に導かれることになる。従って、サイクロン６８の上部から漏れ出た上記乾燥物の一部が乾燥室６３の周辺に飛散して堆積するのを防止でき、これにより汚れなどによる装置本体６ａ内の環境を阻害することなく、清潔な状態でメンテナンス等を行うことができるとともに、清掃も容易に行うことができる。
【００４５】
【発明の効果】
以上述べたように、本発明の水中分解式生ごみ処理装置における乾燥装置によれば、排出機構により空気を吹き込んで乾燥室内の乾燥物を排出して回収することで、乾燥室内は吹込み空気により清掃される形で、しかも乾燥物を乾燥室内に残すことなく排出することができ、これにより続いて行われる乾燥処理を効率よく円滑に行うことができる。
【００４６】
しかも、サイクロンに導入された乾燥物の一部がこのサイクロンの上部から漏れ出たとしても、連通管を通じて分解槽の上部空間に導かれることから、上記乾燥物の一部が乾燥室周辺に飛散して堆積するのを防止でき、これにより乾燥室周辺の環境を阻害することなく、清潔な状態でメンテナンス等を行うことができるとともに、清掃も容易に行うことができる。
【図面の簡単な説明】
【図１】本発明の水中分解式生ごみ処理装置における乾燥装置の全体の概略構成を示す図である。
【図２】乾燥装置の構成を示す側面図である。
【符号の説明】
１  生ごみ投入装置
２  分解槽
６  乾燥装置
６３  乾燥室
６４  排出機構
６７  吹込ブロワー
６８  サイクロン
６８ｃ  連通管
【図１】
2004290758.tif 000003
【図２】
2004290758.tif 000004